(57)【要約】文書（２０）を保持するための入力トレー（３０）と、入力トレー内の第１の文書のイメージを取得する入力イメージング装置（４０）と、を含み、第１の文書の入力トレーイメージがエリアイメージとして取得され、第１の文書の取得された入力トレーイメージをイメージプロセッサ（１００）に送信し、第１の文書を出力トレーに輸送する、文書のイメージを取得するためのシステム。
2016507934.tif 000002
【特許請求の範囲】
【請求項１】
文書のイメージを取得するためのシステムであって、
文書を保持するための入力トレーと、
前記入力トレー内の第１の文書のイメージを取得する入力イメージング装置と、
を備え、
前記第１の文書の入力トレーイメージがエリアイメージとして取得され、
前記第１の文書の取得された入力トレーイメージがイメージプロセッサに送信され、
前記第１の文書が出力トレーに輸送される、
ことを特徴とするシステム。
【請求項２】
前記出力トレー内の前記第１の文書のイメージを取得する出力イメージング装置、
を備え、
前記第１の文書の取得された出力トレーイメージが前記イメージプロセッサに送信され、
前記第１の文書の前記入力トレーイメージを前記第１の文書の前記出力トレーイメージと比較することによって、前記第１の文書の前記入力トレーイメージの正確さが検証される、
ことを特徴とする請求項１に記載のシステム。
【請求項３】
前記入力イメージング装置は、前記入力トレー内の第２の文書のイメージを取得し、
前記第２の文書の入力トレーイメージがエリアイメージとして取得され、
前記第２の文書の取得された入力トレーイメージが前記イメージプロセッサに送信され、
前記第２の文書の前記入力トレーイメージを前記第２の文書の出力トレーイメージと比較することによって、前記第２の文書の前記入力トレーイメージの正確さが検証される、
ことを特徴とする請求項１に記載のシステム。
【請求項４】
前記文書のラスタスキャンされたイメージが前記文書の前記入力トレーイメージと合致しない場合に、スキャナ機能を改変する、
ことを特徴とする請求項２に記載のシステム。
【請求項５】
前記スキャナ機能が、ラスタ取得装置の回転、カラー取得モードの変更、又はイメージ光学系のクリーニングからなるグループから選択される、
ことを特徴とする請求項４に記載のシステム。
【請求項６】
前記文書の前記入力トレーイメージが高分解能である、
ことを特徴とする請求項１に記載のシステム。
【請求項７】
前記文書のラスタスキャンされたイメージが前記文書の前記入力トレーイメージと合致しない場合に、文書スキャナのオペレータに警告する、
ことを特徴とする請求項２に記載のシステム。
【請求項８】
文書のラスタスキャンされたイメージの正確さを検証するシステムであって、
文書スキャナを通して前記文書を輸送する機能と、
前記文書のラスタスキャンされたイメージを取得するラスタ取得装置と、
前記ラスタスキャンされたイメージをイメージプロセッサに送信する機能と、
文書を保持する出力トレーと、
前記出力トレー内の文書のイメージを取得する出力イメージング装置と、
取得された出力トレーイメージを前記イメージプロセッサに送信する機能と、
前記文書の前記出力トレーイメージを比較することによって、前記ラスタスキャンされたイメージの正確さを検証する機能と、
を備えることを特徴とするシステム。
【発明の詳細な説明】
【技術分野】
【０００１】
本出願は、２０１２年１２月１４日付けで出願された「文書のイメージを取得するためのシステム」という名称の米国特許出願第１３／７１４，９２６号の優先権を主張しており、これは参照によって全体としてここに援用される。
【０００２】
２０１２年１２月１４日付けで出願されたシェルテルらによる「文書のイメージを取得する方法」という名称の共通に譲渡された同時係属の米国特許出願第１３／７１４，８８５号、２０１２年１２月１４日付けで出願されたシェルテルらによる「文書のラスタスキャンされたイメージの正確さを検証するためのシステム」という名称の米国特許出願第１３／７１４，９０１号、２０１２年１２月１４日付けで出願されたシェルテルらによる「スキャンされた文書の正確さの検証」という名称の米国特許出願第１３／７１４，８６３号、２０１０年８月１８日付けで出願されたシェルテルらによる「文書スキャナ」という名称の米国特許出願第１２／８５８，４８８号（現在は米国公報第２０１２／００４４５４７号）、２０１０年７月２０日付けで出願されたシェルテルらによる「文書をキャンするための方法」という名称の米国特許出願第１２／８３９，４７６号、２０１０年７月２０日付けで出願されたシェルテルらによる「文書スキャナ」という名称の米国特許出願第１２／８３９，４７１号、及び、２００８年１１月２４日付けで出願されたハメンによる「文書輸送装置」という名称の米国特許出願第１２／２７６，６４１号（現在は米国公報第２０１０／０１２７４４７号）が参照される。これらの開示は、ここに援用される。
【０００３】
本発明は一般的にスキャナに関しており、特に、スキャンされた文書の正確さを検証することに関する。
【背景技術】
【０００４】
文書スキャナは、輸送経路を通って文書を動かし、動いている間に文書のデジタルイメージを生成する。文書スキャナのためのプロセッサは、前もって設定された文書特性を有しており、オペレータは、あるタイプの文書に対する特定の要件に合わせて機能及び特徴を選択しなければならない。あるいは、スキャナは、全ての文書を処理する設定をデフォルトとして有し得るが、これは効率性が劣る。なぜなら、スキャナは典型的には、文書毎に基づく特定の要件でプログラムされていないからである。
【０００５】
前もって設定された特性は、サイズ、重量、テクスチャのような文書特性、並びに、解像度及びイメージングコード、カラー、片面又は両面のような特定のアプリケーション要件を含む。文書スキャナでは、スキャンされるべき文書は、サイズ、重量、カラーコンテンツ、物理的な条件、又はその他の特性により異なり得て、これらは、操作の最適で且つ最も効率的なモードのために、異なるスキャナ特徴が実行されたり、あるいはオペレータのアクションが利用されたりすることが必要とされ得る。これらの多くの異なる文書属性の事前の知識は、スキャナ特徴の適切な選択によりスキャンプロセスの効率を改善することを可能にしたり、若しくは、文書の特定のタイプ、スタイル、又はサイズによって要求される特定のアプリケーションを提供し得る他の特徴を可能にしたりことができる。文書の物理的な条件の事前の知識はまた、文書又はスキャナを保護するためにオペレータが直ちにアクションを取ることを促したり、あるいは、スキャナ内部の他の特徴がより信頼性よく実行されることを可能にしたりすることができる。
【０００６】
スキャナの出口領域は、スキャンされた文書を、それらが輸送路を出るときに収集するために使用される。文書はまた、ひとたびイメージングされると、順番にスキャナを出なければならない。入力領域並びに出口領域で文書特性を識別することによって、スタッキング及びトラッキングを制御する文書の数、出口領域の特徴（これらに限られるものではない）のような特性が、管理されることができる。
【先行技術文献】
【特許文献】
【０００７】
【特許文献１】米国特許出願第２００８／００１３８４８号
【特許文献２】米国特許出願第２００３／００７６５１８号
【発明の概要】
【発明が解決しようとする課題】
【０００８】
スキャンプロセスの間に、スキャンされた文書から抽出された情報は、数多くの方法で、正確では無いかもしれない。スキャンされた文書は、文書輸送システムによって変形されるか又は皺が寄せられるかもしれない。イメージ取得光学系に埃又は異物があるかもしれない。文書は斜めにされるか又は位置ずれしているかもしれない。あるいは、正しくないスキャン特徴が選択されているかもしれない。これらに限られるものではないが、それらの全ては、スキャンプロセスの間に不正確な情報の取得をもたらす。特に高速文書スキャナにおいて、取得されたイメージデータを検証する必要が存在する。
【０００９】
文書印刷産業においては、印刷されたイメージ上の情報を検証しようとする試みがあるが、文書を印刷するための要件は、文書の正確なスキャンのための要件とは異なる。例えば、米国特許出願第２００８／００１３８４８号は、印刷された文書における線（ｓｔｒｅａｋｓ）又はすじ（ｂａｎｄｉｎｇ）のような欠陥をチェックするための印刷された文書のライン毎のスキャンを開示している。米国特許出願第２００３／００７６５１８号は、出力トレーをイメージングするＣＣＤラスタ取得装置を組み込んだプリンタを開示する。取得された出力イメージは、文書を印刷するために使用されたデータと比較される。
【課題を解決するための手段】
【００１０】
簡潔に、本発明の一つの局面によれば、文書のイメージを取得するためのシステムが、文書を保持するための入力トレーと、入力トレー内の第１の文書のイメージを取得する入力イメージング装置と、を含み、第１の文書の入力トレーイメージがエリアイメージとして取得され、第１の文書の取得された入力トレーイメージをイメージプロセッサに送信し、第１の文書を出力トレーに輸送する。
【００１１】
本発明並びにその目的及び効果は、以下に示される好適な実施形態の詳細な記述にて、より明らかになるであろう。
【図面の簡単な説明】
【００１２】
【図１】本発明に従った文書スキャナのための輸送路の側方からの断面図である。
【図２】本発明に従ったスキャナ出力トレーの斜視図である。
【図３】本発明に従った文書スキャナの直線状の輸送路の側方からの断面図である。
【発明を実施するための形態】
【００１３】
本発明は、本発明に従った装置の一部を形成するか、又はより直接的にそれと協働する構成要素に、特に向けられている。具体的に示されていないか又は記述されていない構成要素が当業者に既知の様々な形態を取り得ることが理解されるべきである。
【００１４】
図１は、文書スキャナ１０の側方断面図である。図１に示されているように、文書２０は最初にスキャナ１０の入力トレー３０に置かれる。文書は、推進ローラ４５、それから供給ローラ５０によってスキャナ１０内に前進され、追加の文書２０が分離ローラ６０によって保持される。文書２０は文書輸送路７０を通って前進し、正面ラスタ取得装置８０及び背面ラスタ取得装置９０によってそれぞれイメージングされ、それから輸送路出口１３０から出力トレー１５０に排出される。
【００１５】
文書２０が輸送路出口１３０で輸送路７０を出るとき又はその後に、文書２０及び出力トレー１５０は出力イメージング装置１４０によってイメージングされる。イメージはイメージプロセッサ１００に送られ、文書２０及び出力トレー１５０の特性を識別する。
【００１６】
一つの出力トレー１５０の特性は、文書２０が出力トレー１５０内に存在するか否かである。出力トレー１５０が空であると判定されると、プロセッサ１１０は、出力トレー１５０が一杯になる前にいくつの文書２０がスキャンされることができるかを決定する。出力トレー１５０の文書レベルの決定もまた、プロセッサ１１０によって使用されて、出力トレー１５０が一杯になるとスキャンが停止される。これは、オペレータが、文書（２０）を出力トレー１５０から除去することなく文書２０を入力トレー３０に置き続けると、生じ得る。
【００１７】
他の重要な特性は、出力トレー１５０における文書２０のスタッキングである。文書２０が他のものの上に平坦に置かれていないと、プロセッサ１１０はスキャンプロセスを停止して、他の文書２０が不適切にスタックされることを防ぐ。不適当なスタッキングは、制御された出力スタッキング１２０の特徴が適切に操作されていないか、又は誤ってオフされているかの指標になり得る。出力トレー１５０の特性に基づいて、出力トレーサイドガイド１６０又はエンドストップ１７０の適切な調整が決定される。スキャンは、オペレータがサイドガイド１６０又はエンドストップ１７０を調整するために停止され得るか、あるいは、スキャンが続いている間に自動調整特徴が利用されて補正されることができる。
【００１８】
図２に示されるように、入力イメージング装置４０からの文書情報に基づいて、スキャナ１０を出ていく文書２０の状態が、スキャナ１０に入ってくる文書２０の状態と比較されて、曲げられたか又はちぎれた角のような文書２０へのダメージが文書輸送路７０内で生じていないかどうかを判定する。そのときプロセッサ１１０はスキャンプロセスを停止して、オペレータに警告する。
【００１９】
入力イメージング装置４０からの情報を使用して、文書スキャナ１０に入ってくる文書２０の数が、スキャナ１０を出ていく文書２０の数と比較されることができる。文書スキャナ１０を出ていく文書２０の数が文書スキャナ１０に入ってくる文書２０の数に合致しないと、オペレータは、失われた文書２０について警告される。
【００２０】
Ｃ字状の文書輸送路７０では、文書２０の順序が、背面ラスタ取得装置９０と共に、出力イメージング装置１４０によって取得された文書２０コンテンツを使用してトラックされることができる。図３に示される直線状の文書輸送路７０を有する文書スキャナ１１では、文書２０の順序が、正面ラスタ取得装置８０と共に、出力イメージング装置１４０によって取得された文書２０コンテンツを使用してトラックされることができる。
【００２１】
本発明の一つの実施形態では、入力トレー３０における文書２０のイメージが、ラスタ取得装置、ＣＣＤセンサ、又はＣＭＯＳセンサのような入力イメージング装置４０で取得される。取得された入力トレーイメージ１９０は、マイクロプロセッサ又はコンピュータのようなイメージプロセッサ１００に送信される。文書はそれから文書スキャナ１０を通って輸送されて、これが文書２０のラスタスキャンされたイメージ１８０を取得し、ラスタスキャンされたイメージ１８０はイメージプロセッサ１００に送信される。イメージプロセッサ１００は、文書２０のラスタスキャンされたイメージ１８０を文書２０の入力トレーイメージ１９０と比較することによって、ラスタスキャンされたイメージ１８０の正確さを検証する。文書２０のラスタスキャンされたイメージ１８０が文書２０の入力トレーイメージ１９０と合致しないと、スキャナ１０機能が改変され得るか、又は他の訂正的動作が取られ得る。訂正的動作は、ラスタ取得装置の回転、カラー取得モードの変更、又はイメージ光学系のクリーニングを含み得る。
【００２２】
文書２０の入力トレーイメージ１９０は、文書２０のラスタスキャンされたイメージ１８０を取得するために典型的に使用されるラスタ毎ではなく、エリアイメージ２１０として取得される。文書２０の入力トレーイメージ１９０は、低解像度又は高解像度であり得る。
【００２３】
本発明の他の実施形態では、文書２０は、スキャナ１０を出た後に文書２０を保持する出力トレー１５０に動かされて、出力トレー１５０内の文書２０のイメージが出力イメージング装置１４０で取得される。取得された出力トレー１５０のイメージはイメージプロセッサ１００に送信される。文書２０のラスタスキャンされたイメージ１８０を文書２０の入力トレーイメージ１９０及び文書２０の出力トレーイメージ２００と比較することによって、ラスタスキャンされたイメージ１８０の正確さを検証する。
【００２４】
本発明のさらに他の実施形態では、文書２０を保持する入力トレー３０内の文書２０のイメージが、入力イメージング装置４０でラスタ毎ではなくエリアイメージ２１０として取得される。イメージをエリアイメージ２１０として取得することは、文書２０をスキャンする通常の方法である文書２０のラスタ毎のイメージングの代わりに、文書２０の全体のイメージが取られることを意味する。取得された入力トレーイメージ１９０はイメージプロセッサ１００に送信されて、文書２０は出力トレー１５０に輸送される。最初の文書２０が入力トレー３０から運び出された後に、入力トレー３０内の第２の文書２０のイメージが取得されて、イメージプロセッサ１００に送信される。
【００２５】
さらなる実施形態では、出力トレー１５０内の文書２０のイメージが出力イメージング装置１４０で取得されて、イメージプロセッサ１００に送信される。入力トレー３０イメージの正確さは、文書の入力トレーイメージ１９０を文書２０の出力トレーイメージ２００と比較することによって検証される。
【００２６】
本発明が、そのある好適な実施形態を特に参照して詳細に記述されてきたが、本発明の範囲内で変更及び改変が行われることができることが理解されるであろう。
【符号の説明】
【００２７】
１０，１１  文書スキャナ、２０  文書、３０  入力トレー、４０  入力イメージング装置、４５  推進ローラ、５０  供給ローラ、６０  分離ローラ、７０  文書輸送路、８０  正面ラスター獲得装置、９０  背面ラスター獲得装置、１００  イメージプロセッサ、１１０  プロセッサ、１２０  制御された出力スタッキング、１３０  輸送路出口、１４０  出力イメージング装置、１５０  出力トレー、１６０  出力トレーサイドガイド、１７０  エンドストップ、１８０  ラスタースキャンされたイメージ、１９０  入力トレーイメージ、２００  出力トレーイメージ、２１０  エリアイメージ。
【図１】
2016507934.tif 000003
【図２】
2016507934.tif 000004
【図３】
2016507934.tif 000005
【国際調査報告】
2016507934.tif 000006
2016507934.tif 000007